(57)【要約】【課題】個人データや家系図データの長期的な保管、更新及び閲覧管理と、継承者による個人データや家系図データの閲覧を可能とし、被契約者個人又は契約者個人の所有物の長期的な保管管理や閲覧管理を行うことができできるようにする。【解決手段】情報管理サーバシステム１０により、被契約者３０１又は契約者３００の個人史や被契約者３０１個人又は契約者３００個人に関わる複数の情報を示す個人データの長期的な保管、更新及び閲覧管理と、被契約者３０１個人又は契約者３００個人の所有物の長期的な保管や閲覧管理とを行い、インターネット４０を介して複数のクライアント側端末３０により、認証局側端末２０により認証されたＩＤカード３１に登録されている認証情報を用いることで、情報管理サーバシステム１０へのアクセスやコンテンツ情報の閲覧や個人データの更新を行うようにする。【選択図】    図１
2006139320.tif 000002
【特許請求の範囲】
【請求項１】
被契約者又は契約者の個人史や被契約者個人又は契約者個人に関わる複数の情報を示す個人データの長期的な保管管理、更新管理及び閲覧管理と、前記被契約者個人又は契約者個人の所有物の長期的な保管管理や閲覧管理とを行う機能を有する情報管理サーバシステムと、
インターネットを介して前記情報管理サーバシステムに接続され、前記情報管理サーバシステムからの認証依頼に基づき、認証すべきデータを作成して前記情報管理サーバシステムに送信する機能を有する認証局側端末と、
前記インターネットを介して前記情報管理サーバシステムに接続され、前記認証局側端末により認証されたＩＤカードに登録されている認証情報を用いることで、前記情報管理サーバシステムへのアクセスや前記個人データに関わるコンテンツ情報の閲覧、さらには前記個人データの更新を行う機能を有する複数のクライアント側端末とを備える
ことを特徴とする世代を超えた長期的な個人情報の管理システム。
【請求項２】
前記情報管理サーバシステムは、前記被契約者又は契約者に関わる家系図データの長期的な保管管理、更新管理及び閲覧管理を行う機能を有し、
前記複数のクライアント側端末は、前記認証情報を用いることで、前記家系図データの閲覧や前記家系図データの更新を行う機能を有している
ことを特徴とする請求項１に記載の世代を超えた長期的な個人情報の管理システム。
【請求項３】
前記情報管理サーバシステムは、
前記複数のクライアント側端末からの認証情報を解析して正しい会員であることを判別してサービスの提供を許可する認証機能と、前記被契約者又は契約者の個人データをコンテンツとした表示形式に生成するコンテンツ表示情報生成機能と、前記クライアント側端末からの更新依頼に基づき、前記コンテンツの情報更新を行うコンテンツ更新機能を有するアプリケーションサーバと、
登録されている前記コンテンツを前記アプリケーションサーバの指示により、読み出して更新するコンテンツ管理機能と、前記登録されているコンテンツの定期的なバックアップやリストアを行うコンテンツバックアップリストア機能とを有するコンテンツサーバと、
登録されている会員情報を前記アプリケーションサーバの指示により、読み出し、更新を行う会員情報管理機能と、登録されている前記会員情報の定期的なバックアップやリストアを行う会員情報バックアップリストア機能とを有するデータベースサーバとを備える
ことを特徴とする請求項１又は２に記載の世代を超えた長期的な個人情報の管理システム。
【請求項４】
前記アプリケーションサーバは、前記複数のクライアント側端末からの新規加入があると、それぞれにＩＤナンバーを付与する機能を有していることを特徴とする請求項３に記載の世代を超えた長期的な個人情報の管理システム。
【請求項５】
情報管理サーバシステムにより、被契約者又は契約者の個人史や被契約者個人又は契約者個人に関わる複数の情報を示す個人データの長期的な保管管理、更新管理及び閲覧管理と、前記被契約者個人又は契約者個人の所有物の長期的な保管管理や閲覧管理とを行う工程と、
インターネットを介して前記情報管理サーバシステムに接続される認証局側端末により、前記情報管理サーバシステムからの認証依頼に基づき、認証すべきデータを作成して前記情報管理サーバシステムに送信する工程と、
前記インターネットを介して前記情報管理サーバシステムに接続される複数のクライアント側端末により、前記認証局側端末により認証されたＩＤカードに登録されている認証情報を用いることで、前記情報管理サーバシステムへのアクセスや前記個人データに関わるコンテンツ情報の閲覧、さらには前記個人データの更新を行う工程とを有する
ことを特徴とする長期的な個人情報の管理方法。
【請求項６】
前記情報管理サーバシステムは、前記被契約者又は契約者に関わる家系図データの長期的な保管管理、更新管理及び閲覧管理を行う工程を有し、
前記複数のクライアント側端末は、前記認証情報を用いることで、前記家系図データの閲覧や前記家系図データの更新を行う工程を有している
ことを特徴とする請求項５に記載の長期的な個人情報の管理方法。
【請求項７】
前記情報管理サーバシステムは、
アプリケーションサーバにより、前記複数のクライアント側端末からの認証情報を解析して正しい会員であることを判別してサービスの提供を許可し、前記被契約者又は契約者の個人データをコンテンツとした表示形式に生成し、前記クライアント側端末からの更新依頼に基づき、前記コンテンツの情報更新を行う工程と、
コンテンツサーバにより、登録されている前記コンテンツを前記アプリケーションサーバの指示により、読み出して更新し、前記登録されているコンテンツの定期的なバックアップやリストアを行う工程と、
データベースサーバにより、登録されている会員情報を前記アプリケーションサーバの指示により読み出して更新を行い、登録されている前記会員情報の定期的なバックアップやリストアを行う工程とを有する
ことを特徴とする請求項５又は６に記載の長期的な個人情報の管理方法。
【請求項８】
前記アプリケーションサーバは、前記複数のクライアント側端末からの新規加入があると、それぞれにＩＤナンバーを付与する工程を有していることを特徴とする請求項７に記載の長期的な個人情報の管理方法。
【発明の詳細な説明】
【０００１】
【発明の属する技術分野】
本発明は、被契約者又は契約者の個人史（Biography）や被契約者個人又は契約者個人に関わる複数の情報を示す個人データの長期的な保管管理及び更新管理と、被契約者又は契約者に関わる家系図データの長期的な保管管理及び更新管理とを行うとともに、インターネットを通して正当な継承者による個人データや家系図データの閲覧を可能とし、さらには被契約者個人又は契約者個人の所有物の長期的な保管管理や閲覧管理を行う世代を超えた長期的な個人情報の管理システムに関する。
【０００２】
【従来の技術】
歴史上の日本における著名人として、天皇、武士、芸術家、宗教家、思想家、軍人、大政治家、学者、医師等があげられるが、これらの著名人だけが必ずしもその時代を形成していた訳ではない。多くの無名の一般の人々によってその時代の世の中が支えられていたと言える。しかし、その時代を生きた一般市民の個々の生き様についての記録や資料は一部の素封家等の例外を除いてほとんど存在していない。
その時代をリードして成功した人もその記録が後世まで伝承される確率は大変低いと言える。また、一市民として立派に生きた故人への思い出は子供と孫までの世代までは記憶に残るが、その先は全くの未知の世界となる。金銭的価値のあるものは遺産として遺族に相続されが、財産以外の故人にとって大切なもののほとんどは遺族にとっては大切なものでなくなり、そのほとんどが遅くとも孫の代までに処分されるのが通常である。その時点で故人の人生の記録、記憶は永遠に消滅してしまう。
【０００３】
残るのは遺骨と墓石だけであり、先祖という個人を特定できない名前に変わってしまう。また、何らかの事情で子供のいない人たちも後世に自分の足跡を残したいと考えることも予測される。また、子孫にとって自分のルーツがどのような人であったか知ることは大きな関心と考える。
ちなみに、故人の情報を後世に伝えるようにしたものとして、特許文献１では、陶磁器、陶器、セラミック、ガラス、樹脂、プラスチック、金属、木等に写真、家系図、家紋、個人史、家族や関係者の言葉、寄せ書き等の故人の情報を転写して焼き付け、その焼き付けたものをお墓や骨壺に装着し、故人や御先祖様を身近に感じられる様にする装置を提案している。
【０００４】
【特許文献１】
特開２００２−１５３５２９
【０００５】
【発明が解決しようとする課題】
ところが、上述した特許文献１では、上述した故人の情報を陶磁器、陶器、セラミック、ガラス、樹脂、プラスチック、金属、木等に焼き付け、その焼き付けたものをお墓や骨壺に装着することで、故人の情報を後生に残せるものの、その故人の情報はお墓や骨壺に付与されるようになっている。そのため、その故人の情報の継続管理は故人の意志が伝わる身近な子孫までは可能であるが、その時々の人の考え方一つで継続管理が途切れてしまうものと容易に予測される。
また、故人の情報は、陶磁器、陶器、セラミック、ガラス、樹脂、プラスチック、金属、木等に焼き付けられるため、後に故人の情報を更新しようとする場合には再度、上述した焼き付けが必要となることから、故人の情報の更新が煩雑となる。
【０００６】
また、家系図においても、子孫が増えるたびに更新する必要があり、特許文献１のように単に転写して焼き付けたものをお墓や骨壺に装着するようにすると、家系図の更新が煩雑なものとなってしまうことも容易に予測される。
また、特許文献１のように単に転写して焼き付けたものをお墓や骨壺に装着するようにすると、故人の情報や家系図等を閲覧したい場合にはお墓や骨壺のある場所に出向かなくてはならず、故人の情報等を手軽に閲覧することは困難になるものと思われる。
また、特許文献１では、故人の所有物の長期的な保管管理や閲覧管理を行うシステムが構築されていない。
【０００７】
本発明は、このような状況に鑑みてなされたものであり、被契約者又は契約者の個人史（Biography）や被契約者個人又は契約者個人に関わる複数の情報を示す個人データの長期的な保管管理、更新管理及び閲覧管理と、被契約者又は契約者に関わる家系図データの長期的な保管管理、更新管理及び閲覧管理とを行うとともに、インターネットを通して正当な継承者による個人データや家系図データの閲覧を可能とし、さらには被契約者個人又は契約者個人の所有物の長期的な保管管理や閲覧管理を行うことができる世代を超えた長期的な個人情報の管理システムを提供することができるようにするものである。
【０００８】
【課題を解決するための手段】
本発明の世代を超えた長期的な個人情報の管理システムは、被契約者又は契約者の個人史や被契約者個人又は契約者個人に関わる複数の情報を示す個人データの長期的な保管管理、更新管理及び閲覧管理と、被契約者個人又は契約者個人の所有物の長期的な保管管理や閲覧管理とを行う機能を有する情報管理サーバシステムと、インターネットを介して情報管理サーバシステムに接続され、情報管理サーバシステムからの認証依頼に基づき、認証すべきデータを作成して情報管理サーバシステムに送信する機能を有する認証局側端末と、インターネットを介して情報管理サーバシステムに接続され、認証局側端末により認証されたＩＤカードに登録されている認証情報を用いることで、情報管理サーバシステムへのアクセスや個人データに関わるコンテンツ情報の閲覧、さらには個人データの更新を行う機能を有する複数のクライアント側端末とを備えることを特徴とする。
また、情報管理サーバシステムは、被契約者又は契約者に関わる家系図データの長期的な保管管理、更新管理及び閲覧管理を行う機能を有し、複数のクライアント側端末は、認証情報を用いることで、家系図データの閲覧や家系図データの更新を行う機能を有しているようにすることができる。
また、情報管理サーバシステムは、複数のクライアント側端末からの認証情報を解析して正しい会員であることを判別してサービスの提供を許可する認証機能と、被契約者又は契約者の個人データをコンテンツとした表示形式に生成するコンテンツ表示情報生成機能と、クライアント側端末からの更新依頼に基づき、コンテンツの情報更新を行うコンテンツ更新機能を有するアプリケーションサーバと、登録されているコンテンツをアプリケーションサーバの指示により、読み出して更新するコンテンツ管理機能と、登録されているコンテンツの定期的なバックアップやリストアを行うコンテンツバックアップリストア機能とを有するコンテンツサーバと、登録されている会員情報をアプリケーションサーバの指示により、読み出し、更新を行う会員情報管理機能と、登録されている会員情報の定期的なバックアップやリストアを行う会員情報バックアップリストア機能とを有するデータベースサーバとを備えるようにすることができる。
また、アプリケーションサーバは、複数のクライアント側端末からの新規加入があると、それぞれにＩＤナンバーを付与する機能を有しているようにすることができる。
本発明の長期的な個人情報の管理方法は、情報管理サーバシステムにより、被契約者又は契約者の個人史や被契約者個人又は契約者個人に関わる複数の情報を示す個人データの長期的な保管管理、更新管理及び閲覧管理と、被契約者個人又は契約者個人の所有物の長期的な保管管理や閲覧管理とを行う工程と、インターネットを介して情報管理サーバシステムに接続される認証局側端末により、情報管理サーバシステムからの認証依頼に基づき、認証すべきデータを作成して情報管理サーバシステムに送信する工程と、インターネットを介して情報管理サーバシステムに接続される複数のクライアント側端末により、認証局側端末により認証されたＩＤカードに登録されている認証情報を用いることで、情報管理サーバシステムへのアクセスや個人データに関わるコンテンツ情報の閲覧、さらには個人データの更新を行う工程とを有することを特徴とする。
また、情報管理サーバシステムは、被契約者又は契約者に関わる家系図データの長期的な保管管理、更新管理及び閲覧管理を行う工程を有し、複数のクライアント側端末は、認証情報を用いることで、家系図データの閲覧や家系図データの更新を行う工程を有しているようにすることができる。
また、情報管理サーバシステムは、アプリケーションサーバにより、複数のクライアント側端末からの認証情報を解析して正しい会員であることを判別してサービスの提供を許可し、被契約者又は契約者の個人データをコンテンツとした表示形式に生成し、クライアント側端末からの更新依頼に基づき、コンテンツの情報更新を行う工程と、コンテンツサーバにより、登録されているコンテンツをアプリケーションサーバの指示により、読み出して更新し、登録されているコンテンツの定期的なバックアップやリストアを行う工程と、データベースサーバにより、登録されている会員情報をアプリケーションサーバの指示により読み出して更新を行い、登録されている会員情報の定期的なバックアップやリストアを行う工程とを有するようにすることができる。
また、アプリケーションサーバは、複数のクライアント側端末からの新規加入があると、それぞれにＩＤナンバーを付与する工程を有しているようにすることができる。
本発明に係る世代を超えた長期的な個人情報の管理システムにおいては、情報管理サーバシステムにより、被契約者又は契約者の個人史や被契約者個人又は契約者個人に関わる複数の情報を示す個人データの長期的な保管管理、更新管理及び閲覧管理と、被契約者個人又は契約者個人の所有物の長期的な保管管理や閲覧管理とを行い、インターネットを介して情報管理サーバシステムに接続されている認証局側端末により、情報管理サーバシステムからの認証依頼に基づき、認証すべきデータを作成して情報管理サーバシステムに送信し、インターネットを介して情報管理サーバシステムに接続されている複数のクライアント側端末により、認証局側端末により認証されたＩＤカードに登録されている認証情報を用いることで、情報管理サーバシステムへのアクセスやコンテンツ情報の閲覧、さらには個人データの更新を行うことができる。また、情報管理サーバシステムにより、被契約者又は契約者に関わる家系図データの長期的な保管管理、更新管理及び閲覧管理を行い、複数のクライアント側端末は、認証情報を用いることで、家系図データの閲覧や家系図データの更新を行うことができる。
【０００９】
【発明の実施の形態】
以下、本発明の実施の形態について説明する。
図１は、本発明の世代を超えた長期的な個人情報の管理システムの一実施の形態に係る概要を示す図であり、情報管理サーバシステム１０、認証局側端末２０、クライアント側端末３０を備え、これらはインターネット４０を介して相互に通信できる構成となっている。
情報管理サーバシステム１０は、後述の被契約者３０１又は契約者３００の個人史（Biography）や被契約者３０１個人又は契約者３００個人に関わる複数の情報を示す個人データの長期的な保管管理、更新管理及び閲覧管理と、被契約者３０１個人又は契約者３００個人の所有物の長期的な保管管理や閲覧管理とを行い、さらには被契約者３０１又は契約者３００に関わる家系図データの長期的な保管管理、更新管理及び閲覧管理を行う機能を有するものであり、アプリケーションサーバ１１、コンテンツサーバ１２及びデータベースサーバ１３を備えている。ここで、被契約者３０１個人又は契約者３００個人に関わる複数の情報を示す個人データの詳細については、後述する。
【００１０】
アプリケーションサーバ１１は、認証機能、コンテンツ表示情報生成機能、会員情報管理機能を有している。認証機能は、認証局側端末２０からの認証すべきデータを基に、クライアント側端末３０からの認証情報を解析して正しい会員であることを判別し、サービスの提供を許可する機能である。また、アプリケーションサーバ１１は、後述の契約者３００や被契約者３０１によるクライアント側端末３０を用いての新規加入があると、それぞれにＩＤナンバーを付与する。また、アプリケーションサーバ１１は、後述の契約者３００や被契約者３０１の子孫に対しても、クライアント側端末３０からのそれぞれ新規加入を受け付ける毎に、それぞれのＩＤナンバーを付与する。
コンテンツ表示情報生成機能は、後述の被契約者３０１又は契約者３００の個人データをコンテンツとした表示形式に生成する機能である。コンテンツ更新機能は、後述の被契約者３０１又は契約者３００並びに正当な継承者が保有するクライアント側端末３０からの指示に従って、コンテンツの情報更新を行う機能である。会員情報管理機能は、後述の被契約者３０１又は契約者３００並びに正当な継承者の情報を管理する機能である。
【００１１】
ここで、コンテンツとは、後述の被契約者３０１個人又は契約者３００個人に関わる複数の情報を示す後述の個人データや、後述の被契約者３０１又は契約者３００に関わる後述の家系図データ、さらには後述の被契約者３０１個人又は契約者３００個人の所有物に関わるデータである。
コンテンツサーバ１２は、コンテンツ管理機能、コンテンツバックアップリストア機能を有している。コンテンツ管理機能は、登録されているコンテンツ情報をアプリケーションサーバ１１の指示により、読み出して更新等を行う機能である。コンテンツバックアップリストア機能は、登録されているコンテンツ情報を、定期的にバックアップしたり、必要に応じてリストアを行ったりする機能である。
データベースサーバ１３は、会員情報管理機能、会員情報バックアップリストア機能を有している。会員情報管理機能は、登録されている会員情報をアプリケーションサーバ１１の指示により、読み出し、更新等を行う機能である。会員情報バックアップリストア機能は、登録されている会員情報を、定期的にバックアップしたり、必要に応じてリストアを行ったりする機能である。
【００１２】
認証局側端末２０は、情報管理サーバシステム１０からの認証依頼に基づき、認証すべきデータを作成して情報管理サーバシステム１０に送信する機能を有している。
クライアント側端末３０は、ＩＤカード３１に登録されている認証情報を用いることで、情報管理サーバシステム１０へのアクセスやコンテンツ情報の閲覧やデータ更新等を行う機能を有している。ここで、ＩＤカード３１に登録されている認証情報は、認証局側端末２０によって認証されたものである。なお、このクライアント側端末３０は、後述の被契約者３０１又は契約者３００並びに被契約者３０１又は契約者３００の子孫である後述の継承者３０２，３０３が保有するものであり、複数設けられている。また、ＩＤカード３１は、後述の被契約者３０１又は契約者３００並びに被契約者３０１又は契約者３００の子孫である後述の継承者３０２，３０３に対して後述の委託管理会社１００より発行されるものである。
【００１３】
また、クライアント側端末３０は、ＩＤカード３１の読み取り機能、コンテンツデータ表示機能、コンテンツデータ更新機能を有している。ＩＤカード３１の読み取り機能は、ＩＤカード３１に登録されている認証情報等を読み出す機能である。なお、ＩＤカード３１に登録されている情報を読み取る際は、図示しない読み取り装置が用いられる。このＩＤカード３１の読み取り機能によって読み取られた認証情報は、インターネット４０を介して情報管理サーバシステム１０に送信されると、アプリケーションサーバ１１により解析される。
コンテンツデータ表示機能は、アプリケーションサーバ１１のコンテンツ表示情報生成機能で作成されたコンテンツを表示する機能である。コンテンツデータ更新機能は、アプリケーションサーバ１１から得られる文字、画像、動画等のコンテンツを更新する機能である。
【００１４】
ここで、後述の委託管理会社１００よるサービスの内容について説明する。
まず、後述の委託管理会社１００は、後述の被契約者３０１又は契約者３００の個人史（Biography）や被契約者３０１個人又は契約者３００個人に関わる複数の情報を示す個人データの長期的な保管管理、更新管理及び閲覧管理のサービスと、被契約者３０１又は契約者３００に関わる家系図データの長期的な保管管理、更新管理及び閲覧管理のサービスとを行うとともに、インターネット４０を通して正当な継承者によるクライアント側端末３０によっての個人データや家系図データの閲覧サービスと、被契約者３０１個人又は契約者３００個人の所有物の長期的な保管管理や閲覧管理のサービスとを行う。また、後述の委託管理会社１００は、後述の被契約者３０１又は契約者３００の所有物を、一定の大きさの後述の保管庫（たとえば９０ｃｍ＊７０ｃｍ＊４０ｃｍ）１０２内で保管管理するサービスも行う。なお、後述の契約者３００により情報の開示が同意された著作物のみの一般人への情報開示のサービスも可能である。
【００１５】
また、後述の委託管理会社１００は、後述の契約者３００からの依頼に基づき、デジタルアーカイブの制作サービスを行う。この場合、たとえば定形フォーマットに記載されるたとえば３０ページ分の個人史制作費を契約料に含めるようにすることができる。また、後述の契約者３００が持ち込むデータは、任意のメガビットまでは契約料に含まれるようにすることができる。また、後述の保管庫１０２の提供や保管にあっては、上述したように、一定の大きさの保管庫（たとえば９０ｃｍ＊７０ｃｍ＊４０ｃｍ）１０２を提供し、その保管庫１０２内で保管するようにする。また、後述の被契約者３０１又は契約者３００並びに被契約者３０１又は契約者３００の子孫である後述の継承者３０２，３０３に対してのＩＤカード３１の発行を行う。
【００１６】
次に、このような構成の世代を超えた長期的な個人情報の管理システムにおける長期的な個人情報の管理方法について説明する。
まず、図２に示すように、委託管理会社１００は、契約者３００からの被契約者３０１個人又は契約者３００個人の所有物である保管物の保管依頼や、上述した被契約者３０１又は契約者３００の個人史（Biography）や被契約者３０１個人又は契約者３００個人に関わる複数の情報を示す個人データの制作及び保管依頼があると、それらの依頼を受け付ける（ステップＳ１）。ここで、委託管理会社１００は、上記の保管物を保管庫１０２を用いて管理するとともに（ステップＳ２）、上述した個人データの制作依頼に基づいたデジタルデータ１０１の制作を行う（ステップＳ３）。
【００１７】
ここで、保管庫１０２は、たとえば図３に示すようなケースを用いることができる。この保管庫１０２は、上述したように、一定の大きさ（たとえば９０ｃｍ＊７０ｃｍ＊４０ｃｍ）をもったものである。また、制作される個人データに関わるデジタルデータ１０１としては、個人史（Biography）に関わるデジタル資料がある。また、単行本、雑誌、新聞、切り抜き、写真、ポジフィルム等のスキャニングによるデジタルデータと貼りこみ編集よるデータとがある。また、β，ＶＨＳビデオソフト、レコード、録音テープ等のアナログをデジタル化したデータがある。また、ＣＤ，ＤＶＤ，ＭＤ等のデータもある。また、８ｍｍ、３５ｍｍフィルム等のアナログをデジタル化したデータがある。
【００１８】
ここで、個人データに関わるデジタルデータ１０１の具体例について説明する。まず、たとえば図４に示すような個人史（Biography）の基本情報がある。これは、ＩＤナンバー、住基Ｃｏｄｅ、氏名、住所、本籍、出生地、生年月日、血液型、没年月日、墓地所在地、家族構成、画像等で構成されたものである。
また、個人データに関わるデジタルデータ１０１としては、たとえば図５に示すような祖父母、父母、兄弟、従兄弟、その他を含めた親戚関係や、学歴、職歴、画像等がある。また、個人データに関わるデジタルデータ１０１としては、たとえば図６に示すような趣味、友人関係、画像等がある。また、個人データに関わるデジタルデータ１０１としては、たとえば図７に示すような作品等の著作物、画像等がある。なお、著作物については、リンクを張ることも可能である。ただし、リンクは、契約者３００の正当な子孫としてのＩＤカード３１の保有者だけに開示できるクローズドな著作物と、一般の人に開示されることが了承された著作物とに分類することができる。
【００１９】
また、個人データに関わるデジタルデータ１０１としては、たとえば図８に示すような私の人生の一こま写真集がある。また、個人データに関わるデジタルデータ１０１としては、たとえば図９に示すような私はいかに生きたかを示す内容がある。また、個人データに関わるデジタルデータ１０１としては、たとえば図１０に示すような友人からの言葉を示す内容がある。なお、この友人からの言葉を示す内容は、被契約者３０１の没後追加挿入することができるようにしてもよい。また、個人データに関わるデジタルデータ１０１としては、たとえば図１１に示すような子孫への言葉を示す内容がある。また、個人データに関わるデジタルデータ１０１としては、たとえば図１２に示すような私の愛したコレクションを示す画像等がある。
このような個人データに関わるデジタルデータ１０１の制作が行われるとともに、その制作されたデジタルデータ１０１の保管依頼のあった契約者３００に対しては、たとえば図１３に示すようなＩＤカード３１が発行される。このＩＤカード３１の一面には、ＩＤナンバー、氏名、生年月日、発行日、契約満期日等が表示されている。ＩＤカード３１の他面には、契約規約が表示されている。
【００２０】
ここで、契約規約としては、「このカードは契約者又は被契約者及びその正当な継承者にのみ有効である。」「このカードの正当な保有者は契約者又は被契約者のパーソナルデータ、保管物及びその系図の閲覧が可能である。」「パーソナルデータの閲覧はパーソナルコンピュータあるいはそれに準じる個人情報ツールによりインターネットを通じて閲覧でき、また書面による閲覧も請求可能である。」「このカードの保有者は契約者あるいは被契約者の正当な継承者として自らを含めた系図の更新が可能である。」「系図の更新には戸籍謄本の添付を条件とする。」「保管物の閲覧は−−−−Ｉｎｃ．の指定する場所でのみ可能である。」「契約満了以前の保管物の返還は認められない。」「契約満了日以降においてこのカードの正当な保有者は契約者あるいは登録者(被契約者)の保管物を無償にて引き取ることができる。」等とすることができる。
【００２１】
このようなＩＤカード３１を保有することで、クライアント側端末３０によるインターネット４０を介してのデジタルデータ１０１の閲覧が可能となるとともに、図２のように保管庫１０２により保管されている現物の閲覧が可能となる（ステップＳ４，Ｓ５）。また、このようなＩＤカード３１は、複数の子孫に対して個別に発行してもよいし、継承者３０２，３０３に継承させるようにしてもよい。つまり、契約者３００が保有するＩＤカード３１を、契約者３００から継承者３０２へ継承させることも可能であり、さらに継承者３０２から継承者３０３に継承させることも可能である。なお、ＩＤカード３１が継承される場合には、ＩＤナンバー、氏名、生年月日、発行日等の変更が行われる。
【００２２】
次に、家系図管理システム概念について説明する。
たとえば図１４に示すように、契約者３００や被契約者３０１による新規加入があると、それぞれにＩＤナンバーが付与される。このＩＤナンバーが付与される際は、認証局側端末２０による認証が行われる。また、その認証結果は、認証局側端末２０に接続されているデータベース２１に登録される。また、契約者３００や被契約者３０１の子孫に対しては、それぞれ新規加入を受け付ける毎に、それぞれにＩＤナンバーが付与される。これらのＩＤナンバーは、上述したように、アプリケーションサーバ１１によって付与されるものであり、契約者３００や被契約者３０１の子孫に対しての新規加入を受け付ける毎に、それぞれに付与される。そして、それぞれに付与されたＩＤナンバーを基に、たとえば家系図作成支援ソフトにより家系図データが生成される。また、家系図データは、新たなＩＤナンバーが上記同様にして付与される毎に、たとえば家系図作成支援ソフトにより更新される。なお、このような家系図データは、個人情報の保護の目的から正当な子孫以外の第三者による閲覧サービスは行わないようにすることが好ましい。
【００２３】
このように、本実施の形態では、情報管理サーバシステム１０により、被契約者３０１又は契約者３００の個人史や被契約者３０１個人又は契約者３００個人に関わる複数の情報を示す個人データの長期的な保管管理、更新管理及び閲覧管理と、被契約者３０１個人又は契約者３００個人の所有物の長期的な保管管理や閲覧管理とを行い、インターネット４０を介して情報管理サーバシステム１０に接続されている認証局側端末２０により、情報管理サーバシステム１０からの認証依頼に基づき、認証すべきデータを作成して情報管理サーバシステム１０に送信し、インターネット４０を介して情報管理サーバシステム１０に接続されている複数のクライアント側端末３０により、認証局側端末２０により認証されたＩＤカード３１に登録されている認証情報を用いることで、情報管理サーバシステム１０へのアクセスやコンテンツ情報の閲覧や個人データの更新を行うようにした。
【００２４】
また、本実施の形態では、情報管理サーバシステム１０により、被契約者３０１又は契約者３００に関わる家系図データの長期的な保管管理、更新管理及び閲覧管理を行い、複数のクライアント側端末３０により、認証局側端末２０により認証されたＩＤカード３１に登録されている認証情報を用いることで、情報管理サーバシステム１０へのアクセスや家系図データの閲覧及び家系図データの更新を行うようにした。
これにより、被契約者３０１又は契約者３００の個人史（Biography）や被契約者３０１個人又は契約者３００個人に関わる複数の情報を示す個人データの長期的な保管管理、更新管理及び閲覧管理と、被契約者３０１又は契約者３００に関わる家系図データの長期的な保管管理、更新管理及び閲覧管理とを行うとともに、インターネット４０を通して正当な継承者による個人データや家系図データの閲覧を可能とし、さらには被契約者３０１個人又は契約者３００個人の所有物の長期的な保管管理や閲覧管理を行うことができる。
【００２５】
具体的には、個人の人生の生き様等の個人史（Biography) 、個人情報、著作物等をデジタルデータ１０１として情報管理サーバシステム１０にたとえば１００年単位の長期に渡り保管し、契約者３００本人及び契約者３００又は被契約者３０１の子孫を証明するＩＤカード３１を保有する者及び認証を受けた子孫の求めに応じて、保管されている個人のデジタルデータ１０１をインターネット４０を通じて開示サービスすることができる。
また、デジタルデータ１０１以外の個人の所有物等については、保管庫１０２を使用してたとえば１００年単位の長期に渡り保管し、ＩＤカード３１を保有する者及び認証を受けた子孫の求めに応じて、保管されている個人の所有物の閲覧サービスを行うようにすることができる。
【００２６】
これにより、短期的なデータ保管サービスとは異なり、たとえば１００年単位の長期に渡るデジタルデータ１０１の保管サービスや、ＩＤカード３１を保有する者及び認証を受けた子孫の求めに応じての開示サービスを行うことができる。ちなみに、博物館、図書館、美術館での保管は本人の意思とは関係なく収集、保管展示されるものであり、対象となる著作物、資料はごく一部の著名人の物に限定されるが、本実施の形態のように、第三者の収集、評価、選択によらず本人の意思（契約）により、本人が望むデータや所有物をシステム的に後世の子孫に伝承できるシステムを提供することができる。
【００２７】
ここで、科学の進歩により古いソフトにより記録された記録物の再生は５０年、１００年経てば再生が不可能になる可能性が高い。たとえばレコード盤、録音テープ、β＆ＶＨＳのビデオソフト、フロッピー（登録商標）ディスク等や、現在のＣＤ、ＤＶＤ等の最新の記録装置やコンピューターに記録されたデータでさえ更新することなくして２００年、３００年後にそのまま再生できるとは考えられない。
また、そのような媒体に記録されたソフトの更新は、第三者による管理以外は確実に継承されることは困難と考えられる。これは、日本の有史上の１５００年間において個人のほとんどの記録や持ち物が伝承されていないことからも明白である。よって、本実施の形態でのシステムを有効継続活用することにより今後個人の歴史が１０００年、２０００年の長期に渡り伝承することが可能となる。
【００２８】
また、契約を締結した個人の家系図をデジタルデータ１０１とし、情報管理サーバシステム１０により管理するとともに、契約者３００又は被契約者３０１の死後もたとえば１００年単位以上の長期に渡り子孫の家系図を更新し、正当な継承者３０２，３０３たるＩＤカード３１を保有する者及び認証を受けた者の求めにより、インターネット４０を通じ情報の開示、閲覧サービスを行うようにすることで、民族、宗教、収入、身分、地位、職業を問わず全く新しいサービスを提供することができる。
【００２９】
【発明の効果】
以上の如く本発明に係る世代を超えた長期的な個人情報の管理システムによれば、被契約者又は契約者の個人史（Biography）や被契約者個人又は契約者個人に関わる複数の情報を示す個人データの長期的な保管管理、更新管理及び閲覧管理と、被契約者又は契約者に関わる家系図データの長期的な保管管理、更新管理及び閲覧管理とを行うとともに、インターネットを通して正当な継承者による個人データや家系図データの閲覧を可能とし、さらには被契約者個人又は契約者個人の所有物の長期的な保管管理や閲覧管理を行うことができる。
【図面の簡単な説明】
【図１】本発明の世代を超えた長期的な個人情報の管理システムの一実施の形態に係る概要を示す図である。
【図２】図１の世代を超えた長期的な個人情報の管理システムによる長期的な個人情報の管理方法を説明するためのフロー図である。
【図３】図１の世代を超えた長期的な個人情報の管理システムによる長期的な個人情報の管理方法を説明するための図である。
【図４】図１の世代を超えた長期的な個人情報の管理システムによる長期的な個人情報の管理方法を説明するための図である。
【図５】図１の世代を超えた長期的な個人情報の管理システムによる長期的な個人情報の管理方法を説明するための図である。
【図６】図１の世代を超えた長期的な個人情報の管理システムによる長期的な個人情報の管理方法を説明するための図である。
【図７】図１の世代を超えた長期的な個人情報の管理システムによる長期的な個人情報の管理方法を説明するための図である。
【図８】図１の世代を超えた長期的な個人情報の管理システムによる長期的な個人情報の管理方法を説明するための図である。
【図９】図１の世代を超えた長期的な個人情報の管理システムによる長期的な個人情報の管理方法を説明するための図である。
【図１０】図１の世代を超えた長期的な個人情報の管理システムによる長期的な個人情報の管理方法を説明するための図である。
【図１１】図１の世代を超えた長期的な個人情報の管理システムによる長期的な個人情報の管理方法を説明するための図である。
【図１２】図１の世代を超えた長期的な個人情報の管理システムによる長期的な個人情報の管理方法を説明するための図である。
【図１３】図１の世代を超えた長期的な個人情報の管理システムによる長期的な個人情報の管理方法を説明するための図である。
【図１４】図１の世代を超えた長期的な個人情報の管理システムによる家系図管理の概念を説明するための図である。
【符号の説明】
１０  情報管理サーバシステム
１１  アプリケーションサーバ
１２  コンテンツサーバ
１３  データベースサーバ
２０  認証局側端末
２１  データベース
３０  クライアント側端末
３１  ＩＤカード
４０  インターネット
１００  委託管理会社
１０１  デジタルデータ
１０２  保管庫
３００  契約者
３０１  被契約者
３０２，３０３  継承者
【図１】
2006139320.tif 000003
【図２】
2006139320.tif 000004
【図３】
2006139320.tif 000005
【図４】
2006139320.tif 000006
【図５】
2006139320.tif 000007
【図６】
2006139320.tif 000008
【図７】
2006139320.tif 000009
【図８】
2006139320.tif 000010
【図９】
2006139320.tif 000011
【図１０】
2006139320.tif 000012
【図１１】
2006139320.tif 000013
【図１２】
2006139320.tif 000014
【図１３】
2006139320.tif 000015
【図１４】
2006139320.tif 000016